(57)【要約】【課題】カメラボディ内の撮像素子と異なる露光面サイズの撮像装置用に設計された交換レンズが装着されて撮影された画像であるか否かを容易に判断できる撮像装置の技術を提供する。【解決手段】撮像システムでは、カメラボディ(カメラ本体)に搭載された撮像素子の撮像面より小さいサイズの撮像面に対応する交換レンズが装着されて撮影が行われた場合には、イメージサークル不足によるケラレがない撮像面中央の部分領域に対応する主画像（高解像度記録画像）を生成するとともに、撮像面全体で得られる全体画像を縮小して縮小画像(例えばサムネイル画像)を生成する(ステップＳＴ１０、ＳＴ１２)。これにより、不適切な交換レンズが装着された状態で撮影された画像では縮小画像の表示時(画像再生時)にケラレが視認できるため、不適切な交換レンズ装着による撮影画像であることが容易に判断できる。【選択図】図１０
2007150680.tif 000002
【特許請求の範囲】
【請求項１】
露光面が第１サイズである撮像装置用に設計された交換レンズを着脱可能な撮像装置であって、
(a)第２サイズを有する露光面が設けられ、被写体に係る画像を取得する撮像素子と、
(b)前記交換レンズの装着後に、前記第１サイズが前記第２サイズより小さいサイズ不一致を判定する判定手段と、
(c)前記サイズ不一致である場合には、前記撮像素子の露光面で得られる全体画像から切り出した部分画像と、前記全体画像を縮小した縮小画像とを生成する画像生成手段と、
を備え、
前記部分画像は、前記交換レンズのイメージサークル不足によるケラレ部分を除いた全体画像から抽出される画像であることを特徴とする撮像装置。
【請求項２】
請求項１に記載の撮像装置において、
(d)画像表示が可能な表示手段と、
(e)前記縮小画像に基づく画像表示を前記表示手段に行わせる表示制御手段と、
をさらに備えることを特徴とする撮像装置。
【請求項３】
請求項２に記載の撮像装置において、
前記縮小画像に基づく画像表示では、前記部分画像に対応する画像領域を内包するフレームを前記縮小画像上に表示させることを特徴とする撮像装置。
【請求項４】
請求項３に記載の撮像装置において、
前記フレームは、前記画像領域の外縁に沿ったフレームであることを特徴とする撮像装置。
【請求項５】
請求項２に記載の撮像装置において、
前記縮小画像に基づく画像表示では、前記部分画像に対応する第１画像領域と第１画像領域以外の第２画像領域とに関する色合いを異ならせることを特徴とする撮像装置。
【請求項６】
請求項３または請求項４に記載の撮像装置において、
(f)前記表示手段に表示させた複数の縮小画像の間で前記フレームを移動させることにより、前記複数の縮小画像から１の縮小画像を選択する選択手段、
をさらに備えることを特徴とする撮像装置。
【請求項７】
交換レンズと、前記交換レンズを着脱可能な撮像装置とを有する撮像システムであって、
前記交換レンズは、露光面が第１サイズである撮像装置用に設計されており、
前記撮像装置は、
第２サイズを有する露光面が設けられ、被写体に係る画像を取得する撮像素子と、
前記交換レンズの装着後に、前記第１サイズが前記第２サイズより小さいサイズ不一致を判定する判定手段と、
前記サイズ不一致である場合には、前記撮像素子の露光面で得られる全体画像から切り出した部分画像と、前記全体画像を縮小した縮小画像とを生成する画像生成手段と、
を備え、
前記部分画像は、前記交換レンズのイメージサークル不足によるケラレ部分を除いた全体画像から抽出される画像であることを特徴とする撮像システム。
【発明の詳細な説明】
【技術分野】
【０００１】
本発明は、交換レンズが着脱可能な撮像装置の技術に関する。
【背景技術】
【０００２】
交換レンズが装着可能なデジタルカメラのボディ(カメラボディ)については、ＡＰＳサイズの撮像面(露光面)が設けられた撮像素子を搭載するものが多い反面、ＡＰＳサイズより大きい大判サイズ、例えば３５ｍｍフルサイズの撮像面が設けられた撮像素子を搭載するものも製品化されつつある。
【０００３】
しかし、大判サイズの撮像素子を搭載したカメラボディに、ＡＰＳサイズの撮像素子用に設計された不適切な交換レンズが装着されると、撮影画像においてイメージサークル不足によるケラレが生じてしまう。
【０００４】
このような不具合を解決する手段として、例えば特許文献１で開示されている技術がある。この技術によれば、ケラレのない画像中央部から任意のアスペクト比で切り出した画像を拡大して記録することにより、適切な画像記録が可能となっている。
【０００５】
【特許文献１】特開２００３−１８４４９号公報
【発明の開示】
【発明が解決しようとする課題】
【０００６】
しかしながら、上記特許文献１の技術では、ケラレを除去した画像が記録されるため、この記録画像を再生しても、上述の不適切な交換レンズが装着されて撮影された画像であるか否かの判断は難しい。
【０００７】
本発明は、上記課題に鑑みてなされたものであり、カメラボディ内の撮像素子と異なる露光面サイズの撮像装置用に設計された交換レンズが装着されて撮影された画像であるか否かを容易に判断できる撮像装置の技術を提供することを目的とする。
【課題を解決するための手段】
【０００８】
上記の課題を解決するため、請求項１の発明は、露光面が第１サイズである撮像装置用に設計された交換レンズを着脱可能な撮像装置であって、(a)第２サイズを有する露光面が設けられ、被写体に係る画像を取得する撮像素子と、(b)前記交換レンズの装着後に、前記第１サイズが前記第２サイズより小さいサイズ不一致を判定する判定手段と、(c)前記サイズ不一致である場合には、前記撮像素子の露光面で得られる全体画像から切り出した部分画像と、前記全体画像を縮小した縮小画像とを生成する画像生成手段とを備え、前記部分画像は、前記交換レンズのイメージサークル不足によるケラレ部分を除いた全体画像から抽出される画像である。
【０００９】
また、請求項２の発明は、請求項１の発明に係る撮像装置において、(d)画像表示が可能な表示手段と、(e)前記縮小画像に基づく画像表示を前記表示手段に行わせる表示制御手段とをさらに備える。
【００１０】
また、請求項３の発明は、請求項２の発明に係る撮像装置において、前記縮小画像に基づく画像表示では、前記部分画像に対応する画像領域を内包するフレームを前記縮小画像上に表示させる。
【００１１】
また、請求項４の発明は、請求項３の発明に係る撮像装置において、前記フレームは、前記画像領域の外縁に沿ったフレームである。
【００１２】
また、請求項５の発明は、請求項２の発明に係る撮像装置において、前記縮小画像に基づく画像表示では、前記部分画像に対応する第１画像領域と第１画像領域以外の第２画像領域とに関する色合いを異ならせる。
【００１３】
また、請求項６の発明は、請求項３または請求項４の発明に係る撮像装置において、(f)前記表示手段に表示させた複数の縮小画像の間で前記フレームを移動させることにより、前記複数の縮小画像から１の縮小画像を選択する選択手段をさらに備える。
【００１４】
また、請求項７の発明は、交換レンズと、前記交換レンズを着脱可能な撮像装置とを有する撮像システムであって、前記交換レンズは、露光面が第１サイズである撮像装置用に設計されており、前記撮像装置は、第２サイズを有する露光面が設けられ、被写体に係る画像を取得する撮像素子と、前記交換レンズの装着後に、前記第１サイズが前記第２サイズより小さいサイズ不一致を判定する判定手段と、前記サイズ不一致である場合には、前記撮像素子の露光面で得られる全体画像から切り出した部分画像と、前記全体画像を縮小した縮小画像とを生成する画像生成手段とを備え、前記部分画像は、前記交換レンズのイメージサークル不足によるケラレ部分を除いた全体画像から抽出される画像である。
【発明の効果】
【００１５】
請求項１ないし請求項７の発明によれば、露光面が第１サイズである撮像装置用に設計された交換レンズの装着後に、撮像素子に設けられた露光面の第２サイズより第１サイズが小さいサイズ不一致と判定される場合には、撮像素子の露光面で得られる全体画像から切り出した部分画像であって交換レンズのイメージサークル不足によるケラレ部分を除いた全体画像から抽出される画像と全体画像を縮小した縮小画像とを生成する。その結果、縮小画像の表示によって露光面のサイズ不一致に係る交換レンズが装着されて撮影された画像であるか否かを容易に判断できる。
【００１６】
特に、請求項２の発明においては、縮小画像に基づく画像表示を表示手段に行わせるため、露光面のサイズ不一致に係る交換レンズが装着されて撮影された画像であるか否かを確実に判断できる。
【００１７】
また、請求項３の発明においては、縮小画像に基づく画像表示では部分画像に対応する画像領域を内包するフレームを縮小画像上に表示させるため、ケラレ部分の認識が容易になる。
【００１８】
また、請求項４の発明においては、フレームは画像領域の外縁に沿ったフレームであるため、ケラレ部分が除かれた部分画像の範囲が明確になる。
【００１９】
また、請求項５の発明においては、縮小画像に基づく画像表示では部分画像に対応する第１画像領域と第１画像領域以外の第２画像領域とに関する色合いを異ならせるため、ケラレ部分の認識が容易になる。
【００２０】
また、請求項６の発明においては、表示手段に表示させた複数の縮小画像の間でフレームを移動させることにより複数の縮小画像から１の縮小画像を選択するため、ケラレ部分を認識しつつ画像の選択を適切に行える。
【発明を実施するための最良の形態】
【００２１】
＜第１実施形態＞
＜撮像システムの概要＞
図１および図２は、本発明の第１実施形態に係る撮像システム１００の外観構成を示す図である。ここで、図１は、撮像システム１００の正面外観図であり、図２は、撮像システム１００の背面外観図である。また、図３は、図１のIII−III位置から見た断面を示す概念図である。
【００２２】
図１に示すように、撮像システム１００は、カメラ本体(カメラボディ)１０１と、このカメラ本体１０１の正面略中央に着脱可能に装着される交換レンズ１０２とを備えた一眼レフレックス型デジタルスチールカメラとして構成されている。
【００２３】
図１において、カメラ本体(撮像装置)１０１は、正面略中央に交換レンズ１０２が装着されるマウント部Ｍｔと、マウント部Ｍｔ付近に交換レンズを着脱するための着脱ボタン１４９と、正面左端部に撮影者が把持するためのグリップ部１１３と、ＡＦのための補助光を照射するＡＦ補助光発光部１６３とを備えている。
【００２４】
また、カメラ本体１０１は、その正面右上部に制御値を設定するための制御値設定ダイアル１４６と、正面左上部に撮影モードを切り換えるためのモード設定ダイアル１４２と、グリップ部１１３の上面に露光の開始を指示するためのレリーズボタン１４７とを備えており、フラッシュ撮影の際に被写体を照射する光を発する例えばポップアップ式のフラッシュ１６２を内蔵している。マウント部Ｍｔには、装着された交換レンズ１０２内のＣＰＵ１８１との電気的接続を行うためのコネクタＥＣと機械的接続を行うためのカプラＭＣとが設けられている。
【００２５】
コネクタＥＣは、ＣＰＵ１８１を介し、交換レンズ１０２に内蔵されたレンズＲＯＭ（リードオンリメモリ）１８２から当該レンズに関する型式や型番などのレンズ情報をカメラ本体１０１内の全体制御部１２１に送信したり、レンズ位置検出部１２３によって検出されたフォーカスレンズ１０３等のレンズ位置を全体制御部１２１に送出したりするためのものである。
【００２６】
カプラＭＣは、カメラ本体１０１内に設けられたフォーカスレンズ駆動用のモータＭ１の駆動力を交換レンズ１０２内のレンズ駆動機構１０４に伝達するもので、レンズ駆動機構１０４によりフォーカスレンズ１０３が光軸方向ＬＸに移動することとなる。
【００２７】
図１において、グリップ部１１３の内部には電池収納室とカード収納室とが設けられている。電池収納室にはカメラの電源として、例えば、４本の単３形乾電池が収納されており、カード収納室には撮影画像の画像データを記録するためのメモリカード１７６が着脱可能に収納されるようになっている。
【００２８】
モード設定ダイアル１４２は、カメラの各種モード（静止画を撮影する静止画撮影モード、動画を撮影する動画撮影モード、撮影した画像を再生する再生モード、および外部機器との間でデータ交信を行う通信モード等を含む）を設定するためのものである。
【００２９】
レリーズボタン１４７は、途中まで押し込んだ「半押し状態Ｓ１」の操作と、さらに押し込んだ「全押し状態Ｓ２」の操作とが可能に構成された２段階のスイッチとなっている。静止画撮影モードにおいて、レリーズボタン１４７が半押しされると、被写体の静止画を取得するための準備動作（露出制御値の設定や焦点調節等の準備動作）が実行され、レリーズボタン１４７が全押しされると、撮影動作（後述する撮像素子１１６を露光し、その露光によって得られた画像信号に所定の画像処理を施す一連の動作）が実行される。
【００３０】
図２において、カメラ本体１０１の背面略中央上部には、ファインダ窓１０８が設けられている。ファインダ窓１０８には、交換レンズ１０２からの被写体像が導かれる。撮影者は、ファインダ窓１０８を覗くことによって、被写体を視認することができる。より具体的には、交換レンズ１０２を通過してきた被写体像を、ミラー機構１２６(図４参照)で上方に反射することで、焦点板に被写体像を結像し、ペンタプリズムを通した像を接眼レンズを介して見ることで、被写体像を視認することができる。なお、ファインダ窓１０８内には、シャッター速度や絞り値やその他撮像システム１００の状態を示す各種情報を表示する液晶表示部が内蔵されている。よって、撮影者は、ファインダ窓１０８を覗くことで、撮像システム１００の各種状態を確認することができる。
【００３１】
カメラ本体１０１の背面の略中央には、背面モニタ１０７が設けられている。背面モニタ１０７は、例えばカラー液晶ディスプレイとして構成されており、撮影条件等を設定するためのメニュー画面を表示したり、再生モードにおいてメモリカード１７６に記録された撮影画像を再生表示したりするものである。
【００３２】
背面モニタ１０７の左上部にはメインスイッチ１４１が設けられている。メインスイッチ１４１は２点スライドスイッチからなり、接点を左方の「ＯＦＦ」位置に設定すると、電源がオフになり、接点の右方の「ＯＮ」位置に設定すると、電源がオンになる。
【００３３】
背面モニタ１０７の右側には方向選択キー１４４が設けられている。この方向選択キー１４４は円形の操作ボタンを有し、この操作ボタンにおける上下左右の４方向の押圧操作と、右上、左上、右下及び左下の４方向の押圧操作とが、それぞれ検出されるようになっている。なお、方向選択キー１４４は、上記８方向の押圧操作とは別に、中央部のプッシュボタンの押圧操作も検出されるようになっている。
【００３４】
背面モニタ１０７の左方位置には、メニュー画面の設定、画像の削除などを行うための複数のボタンからなる設定ボタン群１４３が設けられている。
【００３５】
図４は、撮像システム１００の機能構成を示すブロック図である。
【００３６】
撮像システム１００において、制御部１２１は操作部１４０から入力される撮影者からの指示やレンズ位置検出部１２３により検出されるフォーカスレンズ１０３の位置等に基づき、撮像システム１００を統括的に制御するメイン・マイコンである。
【００３７】
操作部１４０には、上記のメインスイッチ１４１やモード設定ダイアル１４２、設定ボタン群１４３、レリーズボタン１４７等で構成されている。
【００３８】
制御部１２１は、交換レンズ１０２内のＣＰＵ１８１を用い、レンズ位置検出部１２３により検出されたフォーカスレンズ１０３等のレンズ位置を検出する。そして、制御部１２１は、フォーカス制御部１２４を用いてモータＭ１を制御することにより、交換レンズ１０２内のフォーカスレンズ１０３を駆動する。ここでは、位相差ＡＦモジュール１１４により求められたデフォーカス量に応じてフォーカスレンズ１０３を移動させることにより、焦点制御を行うことが可能となる。
【００３９】
制御部１２１は、ミラー制御部１２５を用いてモーターＭ２を制御することにより、ミラー機構１２６内のクイックリターンミラー等を駆動する。
【００４０】
制御部１２１は、シャッター制御部１２７を用いてモータＭ３を制御することにより、シャッター１１５を駆動する。
【００４１】
制御部１２１は、タイミング制御回路１２８を用いて、例えばＣＣＤとして構成される撮像素子１１６、信号処理部１２９、およびＡ／Ｄ変換部１３０を制御する。
【００４２】
撮像素子１１６は、例えば３５ｍｍフルサイズのフィルムに相当する撮像面のサイズ（３６ｍｍ×２４ｍｍ）を有しており、撮像素子１１６で撮像されたアナログ信号の画像は、信号処理部１２９およびＡ／Ｄ変換部１３０においてデジタル信号の画像データに変換され、画像処理部１５０に入力される。この画像データは、画像処理部１５０において、黒レベル補正回路１５１、ＷＢ補正回路１５２およびγ補正回路１５３で各画像処理が行われ、画像メモリ１５４に記憶される。
【００４３】
画像処理部１５０において処理された画像データは、ＶＲＡＭ１７１を用いて背面モニタ１０７において表示されたり、カードＩ／Ｆ１７５を用いてメモリカード１７６に記録されたり、ＵＳＢ等で規格化された通信用Ｉ／Ｆ１７７を用いて外部へ送信されたりする。
【００４４】
制御部１２１は、必要に応じて、フラッシュ回路１６１を介してフラッシュ１６２を発光させたり、ＡＦ補助光発光部１６３を発光させたりする。
【００４５】
＜不適切な交換レンズ１０２の装着について＞
撮像システム１００においては、マウント部Ｍｔが適合する交換レンズ１０２であればカメラ本体１０１への装着が可能となっているが、以下で説明する不適切な交換レンズ１０２が装着される場合がある。
【００４６】
カメラ本体１０１における撮像素子１１６の撮像面サイズに適合する交換レンズ１０２が装着される場合には、例えば図５に示すように交換レンズ１０２で規定されるイメージサークルＩＣａに撮像素子１１６の撮像面１１６ｆが内包されるため、適正な撮影が可能である。一方、撮像素子１１６の撮像面サイズに適合しない交換レンズ１０２、例えば上記のフルサイズ(３６ｍｍ×２４ｍｍ)より小さいＡＰＳサイズ(２３ｍｍ×１６ｍｍ)の撮像面用に設計された交換レンズ１０２が装着される場合には、例えば図５に示すように交換レンズ１０２で規定されるイメージサークルＩＣｂに撮像素子１１６の撮像面１１６ｆが内包さないようになる。これにより、撮像素子１１６の撮像面１１６ｆに対応する有効画素領域で取得された全体画像においては、例えば図６に示す画像Ｇｏのように画像の長手方向の端部（特に画像の四隅部分）の輝度が低下して画像周辺部にイメージサークル不足によるケラレＫｒが生じることとなる。
【００４７】
このように撮像面(露光面)がフルサイズより小さいＡＰＳサイズのカメラボディ用に設計された交換レンズ１０２がカメラ本体１０１に装着されるとケラレＫｒが生じるため、メモリカード１７６に高解像度で記録する主画像(高解像度記録画像)については、輝度低下がない中央部の画像領域Ｅｐを全体画像Ｇｏから切り出すこととする。ここで、画像領域Ｅｐは、例えば全体画像Ｇｏのアスペクト比を維持した相似形の領域となっている。このような画像領域Ｅｐを全体画像Ｇｏから抽出することにより、図７に示すようにケラレＫｒ(図６)を含む画像の周辺領域がトリミングされた鮮鋭な画像（部分画像）Ｇｐが生成できる。
【００４８】
よって、撮像システム１００においては、撮像素子１１６の撮像面サイズに適合する交換レンズ１０２が装着される場合には撮像素子１１６の撮像面全体に対応するイメージ領域(以下では「全体領域」ともいう)ＩＧａ(図８(ａ))で得られる全体画像を主画像として記録する一方、撮像素子１１６の撮像面サイズに適合しない不適切な交換レンズ１０２が装着される場合には上記のイメージ領域ＩＧａより小さいイメージ領域(以下では「部分領域」ともいう)ＩＧｂ(図８(ｂ))から得られる部分画像を主画像として記録する。この撮像面の部分領域ＩＧｂについては、例えばＡＰＳサイズの撮像面に相当する大きさ(面積)の領域として設定されているが、一般的には、装着された交換レンズ１０２に適合する撮像素子の撮像面サイズに相当する大きさの領域として設定するようにする。
【００４９】
以上により、不適切な交換レンズ１０２が装着される場合には主画像としてケラレＫｒのない適切な画像が記録できるものの、この主画像を再生しても不適切な交換レンズ１０２が装着されて撮影されたものか否かの判断が困難であるため、撮像システム１００では画像再生によりケラレＫｒ(図６)の視認が可能な低解像度の縮小画像（例えばサムネイル画像）を生成することとする。
【００５０】
すなわち、不適切な交換レンズ１０２が装着された場合には、図９(ａ)に示す部分領域ＩＧｂで取得される部分画像を主画像として記録するとともに、図９(ｂ)に示すようにケラレが含まれる画像周辺部のケラレ領域Ｋｅを有する全体領域ＩＧａで取得される全体画像をサイズダウンした縮小画像を生成し記録する。
【００５１】
以上のような撮像システム１００の動作を、以下で具体的に説明する。
【００５２】
＜撮像システム１００の動作＞
図１０は、撮像システム１００の基本的な動作を示すフローチャートである。この動作は、制御部１２１によって実行される。
【００５３】
まず、ユーザによって交換レンズ１０２が装着されると、その装着が検出される(ステップＳＴ１)。ここでは、例えばコネクタＥＣを介してＣＰＵ１８１との通信が可能か否かを判断することで、交換レンズ１０２がマウント部Ｍｔに装着されたか否かを検出する。
【００５４】
ステップＳＴ２では、ＲＯＭ１８２に格納される交換レンズ１０２の情報をカメラ本体１０１を制御部１２１で受信する(ステップＳＴ２)。
【００５５】
ステップＳＴ３では、ステップＳＴ２で受信した交換レンズ１０２の情報に基づき、カメラ本体１０１内の撮像素子１１６の撮像面サイズと、交換レンズ１０２が装着されるべきカメラボディ内の撮像素子の撮像面サイズとの不一致を判定する。すなわち、露光面が所定サイズ(第１サイズ)となるカメラボディ用に設計された交換レンズ１０２の装着後に、この所定サイズが撮像素子１１６が設けられた撮像面のサイズ(第２サイズ)より小さいサイズ不一致に該当するか否かが判断される。具体的には、ステップＳＴ２で例えば交換レンズ１０２の型式や型番をレンズの固有情報として受信した場合には、この固有情報から交換レンズ１０２が適合する撮像素子の撮像面サイズを把握して撮像素子１１６の撮像面サイズと比較する。ここでは、例えば交換レンズの型番等と、それに適合する撮像素子の撮像面サイズとを記述したデータテーブルを制御部１２１のメモリに格納しておけば、このデータテーブルを参照することにより交換レンズの型番等から撮像素子のサイズが把握できることとなる。
【００５６】
ステップＳＴ３において、撮像素子のサイズが不一致である場合には、ステップＳＴ４に進み、一致する場合には、ステップＳＴ５に進む。
【００５７】
ステップＳＴ４では、主画像の画像範囲として図８(ｂ)に示す撮像面の部分領域ＩＧｂを設定する。
【００５８】
ステップＳＴ５では、主画像の画像範囲として図８(ａ)に示す撮像面の全体領域ＩＧａを設定する。
【００５９】
ステップＳＴ６では、レリーズボタン１４７がユーザによって全押しされたかを判定する。ここで、全押しされた場合には、ステップＳＴ７に進み、全押しされていない場合には、ステップＳＴ６を繰り返す。
【００６０】
ステップＳＴ７では、シャッター１１５およびミラー機構１２６を駆動して露光を行う。これにより、撮像素子１１６で被写体の画像信号が生成される。
【００６１】
ステップＳＴ８では、ステップＳＴ７の露光により撮像素子１１６で生成された画像信号を読み出す。
【００６２】
ステップＳＴ９では、ステップＳＴ３と同様にカメラ本体１０１内の撮像素子１１６の撮像面サイズと、交換レンズ１０２が装着されるべきカメラボディ内の撮像素子の撮像面サイズとの不一致を判定する。ここで、撮像素子のサイズが不一致である場合には、ステップＳＴ１０に進み、一致する場合には、ステップＳＴ１１に進む。
【００６３】
ステップＳＴ１０では、ステップＳＴ４で設定された部分領域ＩＧｂ(図８(ｂ))に対応する主画像を生成する。この主画像については、例えば図６に示すケラレＫｒの部分を除いた全体画像Ｇｏのうち画像領域Ｅｐで抽出される部分画像Ｇｐ(図７)となっており、画像処理部１５０で画像処理が施された後にメモリカード１７６に記録される。
【００６４】
ステップＳＴ１１では、ステップＳＴ５で設定された全体領域ＩＧａ(図８(ａ))に対応する主画像を生成する。この主画像は、適切な交換レンズ１０２が装着された正常な状態で得られる撮影画像であり、画像処理部１５０で画像処理が施された後にメモリカード１７６に記録される。
【００６５】
ステップＳＴ１２では、全体領域ＩＧａ(図８(ａ))で得られる全体画像を縮小し、縮小画像を生成する。この縮小画像については、上述したように不適切な交換レンズ１０２が装着された場合でも、図９(ｂ)に示すケラレ領域Ｋｅを含む全体領域ＩＧａの画像が低解像度化され、メモリカード１７６に記録されることとなる。
【００６６】
以上の動作により、撮影画像がメモリカード１７６に記録されるが、この撮影画像を再生する際には、メモリカード１７６に記録された縮小画像が背面モニタ１０７に表示される。
【００６７】
すなわち、適切な交換レンズ１０２が装着されて得られた１枚の撮影画像を１コマ再生する場合には、例えば図１１(ａ)に示すようにケラレのない縮小画像Ｇ１が背面モニタ１０７に表示される。一方、不適切な交換レンズ１０２が装着されて得られた１枚の撮影画像を１コマ再生する場合には、例えば図１１(ｂ)に示すようにケラレＫｒのある縮小画像Ｇ２の表示が背面モニタ１０７で行われる。このような縮小画像の表示においてケラレの有無を確認することにより、不適切な交換レンズ１０２が装着されて撮影された画像であるか否かをユーザが容易に判断できることとなる。
【００６８】
また、適切な交換レンズ１０２が装着されて撮影された４枚の画像を同一画面に再生する場合には、上述した１コマ再生時と同様にケラレのない４枚の縮小画像Ｇ１１〜Ｇ１４が背面モニタ１０７に表示される(図１２(ａ))。この再生画面において、例えばメモリカード１７６に保存される特定の画像を消去するために１枚の画像をユーザが選択する際には、方向選択キー１４４の操作に応じて縮小画像Ｇ１１〜Ｇ１４の間を移動するカーソルＣｒ１によってその画像の指定が行われる(図１２(ｂ))。ここで、カーソルＣｒ１は、縮小画像の外縁に沿ったフレームとして構成されている。
【００６９】
一方、不適切な交換レンズ１０２が装着されて撮影された４枚の画像を同一画面に再生する場合には、図１３(ａ)に示すようにケラレ領域Ｋｅのある４枚の縮小画像Ｇ２１〜Ｇ２４が背面モニタ１０７に表示される。この再生画面において１枚の画像をユーザが選択する際には、方向選択キー１４４の操作に応じて複数の縮小画像Ｇ２１〜Ｇ２４の間を移動するカーソルＣｒ２によってその画像の指定が行われる(図１３(ｂ))。このカーソルＣｒ２については、上記のカーソルＣｒ１(図１２(ｂ))と異なり、主画像(部分画像)に対応する画像領域Ｅｍを内包するフレームとして縮小画像上に表示され、画像領域Ｅｍの外縁に沿ったフレームとして構成される。
【００７０】
なお、図１３に示す再生画面においては、ケラレ領域Ｋｅを明確化するためにケラレ領域Ｋｅの部分を例えばグレーや黒で塗りつぶすことにより、主画像に対応する画像領域(第１画像領域)Ｅｍと画像領域Ｅｍ以外のケラレ領域(第２画像領域)Ｋｅとに関する色合いを異ならせるようにしても良い。
【００７１】
以上の撮像システム１００の動作により、カメラ本体１０１に搭載された撮像素子１１６の撮像面より小さいサイズの撮像面に対応する交換レンズ１０２が装着された場合には、ケラレのない画像中央部を全体画像から切り出して主画像を生成するとともにケラレのある全体画像を縮小した縮小画像を生成する。これにより、適正な高解像度記録画像を作成できるとともに、縮小画像を表示すれば不適切な交換レンズが装着されて撮影された画像であるか否かを容易に判断できる。
【００７２】
＜変形例＞
・上記の実施形態においては、交換レンズ１０２の情報としてレンズの型式や型番等をＲＯＭ１８２に格納するのは必須でなく、交換レンズ１０２に対応する撮像素子の撮像面サイズを直接ＲＯＭ１８２に格納するようにしても良い。
【００７３】
・上記の実施形態における交換レンズについては、撮像素子が搭載されたカメラボディ用に設計された交換レンズであるのは必須でなく、銀塩フィルムがセットされるカメラボディ用に設計された交換レンズでも良い。
【００７４】
・上記の実施形態における画像領域Ｅｐ(図６)については、全体画像Ｇｏのアスペクト比を維持した領域として規定されるのは必須でなく、全体画像Ｇｏと異なる任意のアスペクト比に設定できるようにしても良い。
【００７５】
・上記の実施形態における縮小画像については、サムネイル画像に限らず、表示用の画像(スクリーンネイル)のようなものでも良い。
【図面の簡単な説明】
【００７６】
【図１】本発明の第１実施形態に係る撮像システム１００の外観構成を示す図である。
【図２】撮像システム１００の外観構成を示す図である。
【図３】図１のIII−III位置から見た断面を示す概念図である。
【図４】撮像システム１００Ａの機能構成を示すブロック図である。
【図５】不適切な交換レンズ１０２の装着について説明するための図である。
【図６】不適切な交換レンズ１０２が装着された場合に取得される全体画像Ｇｏを示す図である。
【図７】不適切な交換レンズ１０２が装着された場合に全体画像Ｇｏから切り出される主画像(部分画像)Ｇｐを示す図である。
【図８】主画像を得るための各イメージ領域ＩＧａ、ＩＧｂを説明するための図である。
【図９】不適切な交換レンズ１０２が装着された場合に記録される主画像および縮小画像を説明するための図である。
【図１０】撮像システム１００の基本的な動作を示すフローチャートである。
【図１１】撮像システム１００での画像再生について説明するための図である。
【図１２】適切な交換レンズ１０２が装着されて撮影された複数の画像の再生および画像選択について説明するための図である。
【図１３】不適切な交換レンズ１０２が装着されて撮影された複数の画像の再生および画像選択について説明するための図である。
【符号の説明】
【００７７】
１００  撮像システム
１０１  カメラ本体
１０２  交換レンズ
１０７  背面モニタ
１１６  撮像素子
１１６ｆ  撮像面
１２１  制御部
１４３  設計ボタン群
１８２  交換レンズ内のＲＯＭ
Ｃｒ１、Ｃｒ２  カーソル
Ｇ１、Ｇ２、Ｇ１１〜１４、Ｇ２１〜２４  縮小画像
Ｇｏ  全体画像
Ｇｐ  部分画像
ＩＣａ、ＩＣｂ  イメージサークル
ＩＧａ  全体領域
ＩＧｂ  部分領域
Ｋｅ  ケラレ領域
Ｋｒ  ケラレ
【図１】
2007150680.tif 000003
【図２】
2007150680.tif 000004
【図３】
2007150680.tif 000005
【図４】
2007150680.tif 000006
【図５】
2007150680.tif 000007
【図６】
2007150680.tif 000008
【図７】
2007150680.tif 000009
【図８】
2007150680.tif 000010
【図９】
2007150680.tif 000011
【図１０】
2007150680.tif 000012
【図１１】
2007150680.tif 000013
【図１２】
2007150680.tif 000014
【図１３】
2007150680.tif 000015